(57)【要約】【課題】従来のパタ−のアドレスでは、ヘッド上面の水平度と目線の垂直度の把握とライン方向と左右の目を結ぶ線方向が同じ方向か否かを知ることが困難であった。【解決手段】パタ−のフェ-ス１３近くのヘッド上面１４で、打ち出し方向（ライン）と同一線上となるヘッド１２ａの軸線１５上に縦穴７を設ける。上下に伸縮保持自在になる一定の縦長さを有する縦軸３ａで、その縦軸上端には一定の横長さを持つ細い棒状の上部ライン目印材５ａを取り付け、縦軸下端には挿入軸６が具備され直立度測定スタンド２ａを形成する。該スタンドの挿入軸部をヘッド上面の縦穴に差し込んでヘッド上面に直立に取り付け目の位置測定パタ−１ａを形成する。前記上部ライン目印材はヘッド上面に設けているライン目印線１６と同一方向にセットして、アドレス時における上方から見た縦軸上端及び上部ライン目印材の投影像とヘッド上面のライン目印線との重なり状態で目の位置を知る。【選択図】    図１
2009268837.tif 000002
【特許請求の範囲】
【請求項１】
ゴルフクラブのパタ−において、該パタ−の打ち出し方向と同一線方向のヘッドの軸線上でフェ-ス近くのヘッド上面に、一定の高さを有する棒状の縦軸を着脱自在に直立して取り付けたパタ−構成にしたことを特徴とする目の位置測定パタ−。
【請求項２】
ヘッド上面に設ける縦軸は、ヘッドの軸線上でフェ-ス近くのヘッド上面に一定の深さの縦穴を設け、該縦穴に縦軸の下端部を差し込んで取り付けたことを特徴とする請求項１記載の目の位置測定パタ−。
【請求項３】
ヘッド上面に設ける縦軸は、ヘッドの軸線上でフェ-ス近くのヘッド上面と縦軸下端部に磁石を設け、ヘッド上面に吸着して縦軸を取り付けたことを特徴とする請求項１記載の目の位置測定パタ−。
【請求項４】
ヘッド上面に設ける縦軸は、上下に伸縮保持自在になる構成となったことを特徴とする  
請求項１〜３のいずれかに記載の目の位置測定パタ−。
【請求項５】
ヘッド上面に設けられる縦軸の上部には、一定の横長さを有する形状からなる上部ライ  
ン目印材が、ヘッドの軸線と同一方向に向けて設けられたことを特徴とする請求項１〜４  
のいずれかに記載の目の位置測定パタ−。
【請求項６】
ヘッド上面に設けられる縦軸上端には磁石が設けられ、該磁石に吸着して上部ライン目印材が取り付けられたことを特徴とする請求項１〜５のいずれかに記載の目の位置測定パタ−。
【請求項７】
ヘッド上面に設けられる縦軸の上端には、上向きに水平器が設けられたことを特徴とする請求項１〜６のいずれかに記載の目の位置測定パタ−。
【発明の詳細な説明】
【技術分野】
【０００１】
パタ−のパッティングにおいて頭（目）の位置は、ライン（ボ−ルの転がる線）と左右の目を結ぶ線方向が同一で、そのラインの真上にセットするのが基本とされている。
本発明は、不特定の場所におけるパタ-のアドレス時に、パタ-のヘッド上面叉は水平面  に
対する目線の直立度と、ライン方向に対する左右の目を結ぶ線方向を把握して目の位置を  
測定する目の位置測定パタ-に関する。
【背景技術】
【０００２】
従来のパタ−のアドレス時におけるヘッド上面の水平度叉はそのヘッド上面に対する目線の直立度の測定は、グリ−ン叉はマット上の一定の位置に一定の高さに保持される目印と、その目印下方に重錘を吊り下げ、その重錘下方にゴルフボ−ルを置き、前記目印と重錘及びボ−ルを目線で結ぶ位置（ラインの鉛直線上）に頭（目）の位置をセットする方法で行っていた。（例えば特願２００３-３８１１５０）
【０００３】
また、左右の目を結ぶ線とライン方向が同一方向となるように、グリ−ン叉はマット面  
から一定の高さに位置に長い紐を張り、左右の目線上で紐とボ−ルが重なる位置にボ−ル  
をセットして行っていた。
【０００４】
【特許文献１】特願２００３−３８１１５０
【発明の開示】
【発明が解決しようとする課題】
【０００５】
以上に述べた方法では、一定の高さに保持される目印叉は紐を用意しなければならず、更にその目印叉は紐の真下に正確にボ−ルをセットしなければならないと言う面倒しさと、パッティングが目印叉は紐の位置に限定されると言う問題があった。
【０００６】
また、目印を設けた方法では左右の目を結ぶ線方向を知るのは困難であり、紐を張った方法においては、紐とボ−ルを重ねる目線方向で水平面叉はヘッド上面に対する鉛直度を知るのは困難なものであった。
【０００７】
本発明は、このような従来の問題を解決しようとするもので、パッティングの場所を限  
定されることなく、水平面叉はヘッド上面に対し目線の鉛直度及び左右の目を結ぶ線方向  
を確認しながら、頭（目）の位置を調整容易にするパタ−を提供することを目的とするも  
のである。
【課題を解決するための手段】
【０００８】
本発明は上記目的を達成するために図１で示す右から左に打ち出す（右利き用）パタ−  
による実施例では、パタ-ヘッドのフェ-ス（ボ−ルを打つ面）近くで、ラインと同一方  と
なるヘッドの軸線上のヘッド上面に一定の深さの縦穴を設ける。
【０００９】
そして、上下に伸縮及び任意の高さで保持自在となる一定の縦長さを持つ棒状の縦軸で、その縦軸下端に挿入軸部と上部に横方向に一定の長さを有する棒状の上部ライン目印材を設け、少なくとも上部ライン目印材が設けられた縦軸の上部の一部が軸回転保持自在となる縦軸と上部ライン目印材からなる構成で直立度測定スタンドを形成する。そのスタンドを上記ヘッド上面に設けた縦穴に着脱自在に差し込み、少なくともフェ-ス近くのヘッド上面に対し直立状態にパタ−に取り付け、本発明の目の位置測定パタ−を形成する。
【００１０】
そして、縦軸上部に設けられた上部ライン目印材をヘッド上面に設けられたライン方向を示すライン目印線と同一方向に回転してセットし本パタ−を使用する。
【００１１】
また、縦軸上部の別の実施の方法では、図２で示す様に縦軸上部の上部ライン目印材は縦軸の軸直角（横向き）にスライド保持自在に取り付けられ、縦軸上端にはコンパクトな形状の水平器を固定叉は着脱自在に上向きに設ける。
【００１２】
また、図１の別の実施の方法では、図３で示すヘッド上面に縦穴に替えて磁石を埋め込  んで設ける。
【００１３】
そして、上下に伸縮保持自在な縦軸の下端と上端に磁石を設け、上端の磁石に吸着して四角棒状の上部ライン目印材を縦軸に片持ち状態叉は縦軸にＴ字状に取り付ける構成で直立度測定スタンドを形成する。そのスタンドを上記ヘッド上面に設けた磁石に吸着してヘッド上面に直立して取り付け、本発明の目の位置測定パタ−を形成する。
なお、前記ヘッド上面と縦軸下端に設ける磁石は、最も強く磁力が働く縦同一軸芯状態に吸着容易にする為、磁石の形状を同径か同径に近い外径でやや縦長とすることが好ましい。
【００１４】
また、縦軸上部の別の実施の方法では、図４で示す様に縦軸上部にＵ字状の溝を設け、その溝に落とし込んで丸棒状からなる上部ライン目印材を吸着して取り付ける。
【発明の効果】
【００１５】
本発明は、ヘッド上面に対し垂直となる一定の縦長さを持つ縦軸とその縦軸に上部ライン目印材を設けると、アドレス時に目線方向と縦軸の軸線方向の重なり具合で、ヘッド上面に対する目線の直立度を知り、それによりラインに対する目の位置を容易に把握することができる。たとえば図５で示す右利き用パタ−のアドレスで左目を閉じて右目の目線と縦軸の軸線が縦一に重なると、右目がヘッド上面に対し鉛直の縦軸の真上にあることを確認できるものである。
【００１６】
そして、左目の位置の確認では、縦軸上部に設けられている上部ライン目印材がラインと同一方向となるヘッド上面のライン目印線に重なった場合、左目はライン上にあることとなる。（左目の位置は右目を閉じて行うと更にわかりやすくなる）
【００１７】
また、たとえば左右の目の位置がラインより手前側にある場合の確認では、図６で示す  
縦軸の上端と上部ライン目印材の投影像をヘッド上面に設けられているライン目印線より  
向こう側に視認することによって容易に知ることができる。
【００１８】
そして、図７のパタ−の打ち出し側から見た立面図で示す目の位置がラインより手前側にずれている場合、上下に伸縮自在な直立度測定スタンドを高くセットすると、目線の支点となる該スタンド上端から下方のヘッド上面の投影像のずれ幅を大きく投影することとなり、目の位置のわずかなずれでも確認を分かり易くする利点が生まれる。
【００１９】
また、左右の目を結ぶ線方向がライン方向と平行でない場合の左右の目の位置の確認では、たとえば図８で示す左目を閉じ右目の目線が縦軸の縦方向に縦一に重なった状態になると、右目は縦軸の真上にあることを確認できる。そして、上部ライン目印材もヘッド上面のライン目印線に重なった状態となる。
【００２０】
そして、右目を閉じ左目の目線で、縦軸上部と上部ライン目印材がライン目印線より手前側に投影された場合では、左目の位置はラインより向こう側にあることを確認できるものである。したがって上記したように、主に縦軸でヘッド上面に対する左右及び前後の目の鉛直度を把握し、上部ライン目印材でライン方向に対する左右の目を結ぶ線のむきを把握することとなる。
【００２１】
また、ヘッド上面に縦穴叉は磁石を設けることにより、直立度測定スタンドの着脱を容易にし、その縦穴と磁石はパタ−の構造上問題をあたえるものではなく、直立度測定スタンドを付けない場合のパタ−の使用に何ら影響するものではない。そして、ヘッド側と縦軸側の磁石の外径を同径叉は同径に近い強い磁石にすると、力を加えることなく両方の磁石が同一軸芯上で吸着し、容易に回転やずれを起こすことなくヘッド上面の正確な位置に簡単な取り付けと安定した取り付け状態を保つこととなる。
【００２２】
また、縦軸上端に磁石を設けると上部ライン目印材の着脱が容易となり、持ち運びが便利となる。そして、図９で示す様に上部ライン目印材の一部をボ−ルにかぶさる取り付け状態にすると、ヘッドのライン目印線方向とボ−ルの芯を合せたアドレスが簡単にできるものとなり、ボ−ルの芯を捕えるパッティングに役立つものとなる。
【００２３】
また、縦軸の上端に水平器を設けると、ヘッド上面を容易に水平状態にすることが可能となり、目の位置を確実に水平面に対し鉛直のライン真上に容易にセットすることができる。そして、縦軸は伸縮自在に高くすることが出来る為、小さな形状の水平器であっても水平度の操作を各人の視力に合せて視認しやすい高さに調整できるものとなる。
【発明を実施するための最良の形態】
【００２４】
以下、本発明の実施の形態を図１〜図９に基づいて説明する。
【００２５】
図１では、パタ−１１ａのヘッド上面１４の内、フェ-ス１３近くでライン１８方向と同一となるヘッド１２ａの軸線１５上には、四角形状で一定の深さを持つ縦穴７が設けられている。そして、上下に伸縮保持及び上部が軸回転保持自在になる一定の高さを有する丸棒状の縦軸３ａで、その縦軸上部には一定の横長さを持つ細い棒状の上部ライン目印材５ａが、ヘッド上面１４に設けられている軸線１５上のライン目印線１６と同一の方向に片持ち状態で設けられ、下端には四角棒状の挿入軸６が設けられて直立測定スタンド２ａを形成し、そのスタンドの挿入軸６部を前記縦穴７に出し入れ自在に差込み、ヘッド上面に対し垂直に直立測定スタンド２ａを取り付け目の位置測定パタ−１ａを形成している。
【００２６】
図２は、図１の直立度測定スタンド２ａの縦軸３ａ上部の他の実施例で、上部ライン目印材５ａは縦軸の軸直角（横方向）にスライド保持自在に取り付けられ、縦軸上端部には固定叉は着脱自在に上方から差し込んで水平器１７を上向きに取り付けている。
【００２７】
図３は図１の変形例を示し、パタ−１１ｂのヘッド上面１４の内、フェ-ス１３近くでライン１８方向と同一となるヘッド１２ｂの軸線１５上には、磁石１０ｃが埋め込んで取り付けられている。そして、上下に伸縮保持自在になる一定の高さを有する丸棒状の縦軸３ｂで、その縦軸下端と上端には固着して磁石１０ａ，１０ｂが設けられ、上端の磁石には一定の横長さを持つ細い四角棒状の上部ライン目印材５ｂが、ヘッド上面１４のライン目印線１６と同一方向に片持ち状態、叉はＴ字状態に自在に吸着して取り付けられる構成で直立測定スタンド２ｂを形成し、そのスタンドをヘッド上面１４に対し垂直にヘッド上面の磁石１０ｃ部に吸着して取り付け目の位置測定パタ−１ｂを形成している。前記ヘッド上面に設ける磁石１０ｃと縦軸下端に設ける磁石１０ａは、同径か同径に近い外径のやや縦長にすると縦軸芯とヘッド上面の磁石軸芯が同芯で吸着し、調整することなく正確な位置に最も強い吸着力で直立測定スタンドを取り付けられる。
【００２８】
図４は図３の直立度測定スタンド２ｂ上部の他の実施例を示し、縦軸３ｂ上端にはＵ字状の溝８が設けられ、その溝内に磁石１０ｂに吸着して丸棒状の上部ライン目印材５ｃが取り付けられている。
【００２９】
図５〜図９はアドレス時のライン１８に対する目の位置の状態を示す実施例で図５は平  
面を示し、縦軸３ａ上端と上部ライン目印材５ａがヘッド上面１４のライン目印線１６に  
重なった状態では、左右の目２０，２１の位置はヘッド上面に対し鉛直のライン上にある  
こととなる。そして、縦軸３ａの軸方向と右目２１の目線が縦一になると右目は縦軸の真  
上にある。
【００３０】
図６は、ライン１８方向に対して左目２０と右目２１がずれ幅２４ａの大きさで手前側  
にあると、ヘッド上面１４に投影される縦軸３ａ上端と上部ライン目印材５ａは、ライン  
目印線１６よりずれ幅２５ａの大きさで向こう側に変位する状態を示している。
【００３１】
図７は図６の打ち出し側から見た立面図で、ヘッド上面１４に設けられた縦軸３ａを高  
くすると、ラインの鉛直線２２より目の位置がずれ幅２４ａの大きさ手前側にずれている  
場合、縦軸上端の投影のずれ幅は低い縦軸のずれ幅２５ａより高い方の縦軸のずれ幅２５  
ｂが大きく投影され、縦軸を高くすることでわずかな目のずれを分かり易くする。
【００３２】
図８は、右目２１が縦軸３ａの真上にセットされ、左目２０がライン１８より向こう側  
にずれ幅２４ｂの大きさでずれてセットされると、縦軸３ａ上端と上部ライン目印材５ａ  
の投影は、ライン目印線１６より手前側にずれ幅２５ｃの大きさずれて見える。
【００３３】
図９は、左目２０と右目２１が共にライン１８上にセットされ、ライン１８方向と同一  
の上部ライン目印材５ａの一部をボ−ル１９の中心線上にかぶせ、ボ−ルの芯を捕らえる  
イメ-ジを高めるアドレス例を示している。
【図面の簡単な説明】
【００３４】
【図１】本発明の組立て要領を示しす斜視図である。
【図２】図１の一部変形例を示す図である。
【図３】図１の変形例を示す斜視図である。
【図４】図３の一部変形例を示す図である。
【図５】本発明のパタ−を用いたアドレスの実施例の平面図である。
【図６】図５の変形例を示す平面図である。
【図７】図５の打ち出し側から見た立面図である。
【図８】図６の変形例を示す平面図である。
【図９】図８の変形例を示す平面図である。
【符号の説明】
【００３５】
１ａ：目の位置測定パタ−            １３  ：フェ-ス
１ｂ：目の位置測定パタ−            １４  ：ヘッド上面
２ａ：直立度測定スタンド            １５  ：軸線
２ｂ：直立度測定スタンド            １６  ：ライン目印線
３ａ：縦軸                          １７  ：水平器
３ｂ：縦軸                          １８  ：ライン
５ａ：上部ライン目印材              １９  ：ボ−ル
５ｂ：上部ライン目印材              ２０  ：左目
５ｃ：上部ライン目印材              ２１  ：右目
６  ：挿入軸                        ２２  ：鉛直線
７  ：縦穴                          ２３  ：目線
８  ：溝                            ２４ａ：ずれ幅
１０ａ：磁石                        ２４ｂ：ずれ幅
１０ｂ：磁石                        ２５ａ：ずれ幅
１０ｃ：磁石                        ２５ｂ：ずれ幅
１１ａ：パタ−                      ２５ｃ：ずれ幅
１１ｂ：パタ−
１２ａ：ヘッド
１２ｂ：ヘッド
【図１】
2009268837.tif 000003
【図２】
2009268837.tif 000004
【図３】
2009268837.tif 000005
【図４】
2009268837.tif 000006
【図５】
2009268837.tif 000007
【図６】
2009268837.tif 000008
【図７】
2009268837.tif 000009
【図８】
2009268837.tif 000010
【図９】
2009268837.tif 000011